(57)【要約】【課題】  表示操作基板を、火災受信機と主中継器とで共用できるようにして、製造コストを低減し、管理を容易とすること。【解決手段】  信号線を介して火災感知器などの端末機器とそれぞれ接続される火災受信機および複数の分散処理用の主中継器を伝送線で接続して、該火災受信機と複数の主中継器との間で防災情報のやりとりを行う分散型火災報知システムであって、前記火災受信機の筐体の扉の裏面に、該扉に設けられた開口に対向させて、受信機用表示操作部材を配置し、また、前記主中継器の筐体の扉の裏面に、該筐体の内側を向くように、主中継器用表示操作部材を配置するようにした、分散型火災報知システムにおいて、前記火災受信機及び主中継器は、一方の面に前記受信機用表示操作部材を、また、他方の面に前記主中継器用表示操作部材を配設可能な構成の表示操作基板を備えた。【選択図】  図３
2008226172.tif 000002
【特許請求の範囲】
【請求項１】
信号線を介して火災感知器などの端末機器とそれぞれ接続される火災受信機および複数の分散処理用の主中継器を伝送線で接続して、該火災受信機と複数の主中継器との間で防災情報のやりとりを行う分散型火災報知システムであって、前記火災受信機の筐体の扉の裏面に、該扉に設けられた開口に対向させて、受信機用表示操作部材を配置し、また、前記主中継器の筐体の扉の裏面に、該筐体の内側を向くように、主中継器用表示操作部材を配置するようにした、分散型火災報知システムにおいて、
前記火災受信機及び主中継器は、一方の面に前記受信機用表示操作部材を、また、他方の面に前記主中継器用表示操作部材を配設可能な構成の表示操作基板を備えたことを特徴とする分散型火災報知システム。
【請求項２】
前記表示操作基板は、前記火災受信機及び複数の主中継器の主制御部として機能するメイン制御基板であることを特徴とする請求項１記載の分散型火災報知システム。
【発明の詳細な説明】
【技術分野】
【０００１】
本発明は、分散型火災報知システムに関し、特に火災受信機と分散処理用の主中継器との間で、表示操作基板を共用できるようにしたものである。
【背景技術】
【０００２】
信号線を介して火災感知器などの端末機器とそれぞれ接続される１つの火災受信機と複数の分散処理用の主中継器とを伝送線で接続して、該火災受信機と複数の主中継器との間で防災情報のやりとりを行う分散型火災報知システムが知られている（例えば、特許文献１参照）。
【０００３】
図５は、従来の火災受信機ＲＥ２を示す図である。
【０００４】
従来の火災受信機ＲＥ２は、筐体本体Ｍ３と扉Ｄ３とで筐体が構成され、扉Ｄ３は、筐体本体Ｍ３に開閉可能に設けられている。
【０００５】
筐体本体Ｍ３には、電源部２０と、電池３７と、メイン制御基板６０と、端末伝送基板３３と、電源制御部７０と、ＬＡＮ伝送基板３６とが設けられている。
【０００６】
扉Ｄ３の裏面には、液晶表示部及びタッチパネルとして作用するＬＣＤ４０と、表示制御基板８１と、受信機用表示操作基板８２と、電話ジャックＪ１と、スピーカＳＰ１とが設けられている。
【０００７】
受信機用表示操作基板８２は、火災受信機ＲＥ２自体及びシステム全体に関する表示操作を行うものであり、各種スイッチ、各種表示灯などの受信機用表示操作部材８２ａが搭載されている。扉Ｄ３には開口Ｋ１が設けられ、ＬＣＤ４０の表示操作面、受信機用表示操作基板８２の受信機用表示操作部材８２ａは、開口Ｋ１に対向して配置され、扉Ｄ３を閉じた状態で、開口Ｋ１を介して外部から視認及び操作可能となっている。
【０００８】
なお、ＬＡＮ伝送基板３６は伝送線を介してホスト機器（主中継器ＬＭ２）が接続される基板であり、端末伝送基板３３は信号線を介して端末機器が接続される基板であり、メイン制御基板６０は火災受信機ＲＥ２全体を制御する主制御部であり、表示制御基板８１は、ＬＣＤ４０及び受信機用表示操作基板８２への表示を制御する表示制御部である。
【０００９】
図６は、従来の主中継器ＬＭ２を示す図である。
【００１０】
従来の主中継器ＬＭ２は、筐体本体Ｍ４と扉Ｄ４とで筐体が構成され、扉Ｄ４は、筐体本体Ｍ４に開閉可能に設けられている。
【００１１】
筐体本体Ｍ４には、火災受信機ＲＥ２と同様に、電源部２０と、電池３７と、メイン制御基板６０と、端末伝送基板３３と、電源制御部７０と、ＬＡＮ伝送基板３６とが設けられている。
【００１２】
扉Ｄ４の裏面には、主中継器用表示操作基板８３が設けられている。主中継器用表示操作基板８３は、主中継器ＬＭ２自身に関する表示操作を行うものであり、各種スイッチ、各種表示灯などの主中継器用表示操作部材８３ａが搭載されている。主中継器用表示操作基板８３は、主中継器用表示操作部材８３ａが筐体の内側を向くように配置され、必要時に扉Ｄ４を開くことにより、外部から視認及び操作可能となっている。
【００１３】
以上の構成により、火災受信機ＲＥ２及び複数の主中継器ＬＭ２は、自己と信号線を介して接続された端末機器を単独で監視制御することができ、また、端末機器等から収集した防災情報を伝送線により送受することによって、共有することができる。
【００１４】
なお、分散型火災報知システムは、例えば複数の建物などの広域の火災監視を行うものであり、火災受信機ＲＥ２は、管理人がシステム全体の監視を行えるように、防災センター等に配置される。一方、主中継器ＬＭ２は、メンテナンス等の必要時にのみ、管理人等によって状態を確認できればよいので、建物の美観も考慮の上、通常時は目立たないように、前記の通り、扉Ｄ４に開口を設けないようにして、例えば、各建物内の壁面等に埋め込み配置される。管理人は、火災受信機ＲＥ２の表示内容から、システム全体の状態を確認でき、もし、主中継器ＬＭ２の異常等を確認すると、設置場所まで赴いて、主中継器ＬＭ２の表示から現場を特定でき、修理等を迅速に行うことができる。
【特許文献１】特開平５−２１７０８８号公報
【発明の開示】
【発明が解決しようとする課題】
【００１５】
前記の通り、火災受信機ＲＥ２と主中継器ＬＭ２とは、扉Ｄ３、Ｄ４側に表示操作に関連する構成品を配置するようになっていたが、表示操作基板として、火災受信機ＲＥ２には受信機用表示操作基板８２が用いられ、また、主中継器ＬＭ２には主中継器用表示操作基板８３が用いられていた。つまり、それぞれ専用の表示操作基板が用いられていたので、製造コストが高く、在庫等の管理が煩雑であった。
【００１６】
本発明は、表示操作基板を、火災受信機と主中継器とで共用できるようにして、製造コストを低減し、在庫等の管理を容易とすることを目的とする。
【課題を解決するための手段】
【００１７】
この発明は、信号線を介して火災感知器などの端末機器とそれぞれ接続される火災受信機および複数の分散処理用の主中継器を伝送線で接続して、該火災受信機と複数の主中継器との間で防災情報のやりとりを行う分散型火災報知システムであって、前記火災受信機の筐体の扉の裏面に、該扉に設けられた開口に対向させて、受信機用表示操作部材を配置し、また、前記主中継器の筐体の扉の裏面に、該筐体の内側を向くように、主中継器用表示操作部材を配置するようにした、分散型火災報知システムにおいて、前記火災受信機及び主中継器は、一方の面に前記受信機用表示操作部材を、また、他方の面に前記主中継器用表示操作部材を配設可能な構成の表示操作基板を備えたことを特徴とする。
【００１８】
また、前記表示操作基板は、前記火災受信機及び複数の主中継器の主制御部として機能するメイン制御基板であることを特徴とする。
【発明の効果】
【００１９】
火災受信機の筐体の扉の裏面に、該扉に設けられた開口に対向させて、受信機用表示操作部材を配置し、また、主中継器の筐体の扉の裏面に、該筐体の内側を向くように、主中継器用表示操作部材を配置するようにした、分散型火災報知システムにおいて、一方の面に受信機用表示操作部材を、また、他方の面に主中継器用表示操作部材を配設可能な構成の表示操作基板を備えたので、火災受信機又は主中継器は、それぞれの筐体の扉の裏面に一方の面を対向させて表示操作基板を配置することにより、表示操作基板を、火災受信機と主中継器とで共用できるので、製造コストを低減し、在庫等の管理を容易とすることができる。つまり、火災受信機には扉に開口が設けられているので、従来通りに、扉を閉じた状態で開口を介して、受信機用表示操作部材が外部から視認及び操作可能となるように、表示操作基板を配置することができる。また、主中継器の場合は、従来通りに扉を開けたときに、主中継器用表示操作部材が外部から視認及び操作可能となるように、表示操作基板を配置するようことができる。
【００２０】
また、表示操作基板は、火災受信機及び複数の主中継器の主制御部として機能するメイン制御基板であるので、つまり、主制御部も１つの基板内に含めたので、製造コストの低減、管理の容易化が更に図られた。
【発明を実施するための最良の形態】
【００２１】
発明を実施するための最良の形態は、以下の実施例である。
【実施例１】
【００２２】
図１は、本発明の実施例１である分散型火災報知システムＦＡ１のシステム構成を示すブロック図である。なお、従来例と同一機能を有するものには同一符号および同一名称を付与し、説明を省略するものとする。
【００２３】
分散型火災報知システムＦＡ１は、１つの火災受信機ＲＥ１と、複数の分散処理用の主中継器ＬＭ１とを有する。火災受信機ＲＥ１及び各主中継器ＬＭ１には、信号線Ｌ２を介して、火災感知器や被制御機器などの複数の端末機器ＳＥが接続され、火災受信機ＲＥ１及び各主中継器ＬＭ１は、端末機器ＳＥを監視制御する。また、火災受信機ＲＥ１と複数の主中継器ＬＭ１とは例えばＬＡＮ幹線などの伝送線Ｌ１を介して接続され、火災受信機ＲＥ１と複数の主中継器ＬＭ１との間で、端末機器ＳＥなどから収集した防災情報のやりとり（送受信）を行う。
【００２４】
図２は、火災受信機ＲＥ１を示すブロック図である。
【００２５】
火災受信機ＲＥ１は、筐体本体Ｍ１と扉Ｄ１とで筐体が構成され、扉Ｄ１は、筐体本体Ｍ１に開閉可能に設けられている。
【００２６】
筐体本体Ｍ１には、電源部２０と、電池３７と、端末伝送基板３３と、電源制御部７０と、ＬＡＮ伝送基板３６とが設けられている。
【００２７】
扉Ｄ１の裏面には、液晶表示部及びタッチパネルとして作用するＬＣＤ４０と、メイン制御基板５０と、電話ジャックＪ１と、スピーカＳＰ１と、樹脂パネルＰ１とが設けられている。
【００２８】
電源制御部７０は、電源部２０から生成された直流電圧、例えばＤＣ２４Ｖを各部に電源供給する基板である。ＬＡＮ伝送基板３６は、伝送線Ｌ１を介して、ホスト機器（主中継器ＬＭ１）と接続される基板である。端末伝送基板３３は、信号線Ｌ２を介して、端末機器ＳＥと接続される伝送基板である。
【００２９】
樹脂パネルＰ１は、ＬＣＤ４０と、メイン制御基板５０と、電話ジャックＪ１と、スピーカＳＰ１と、を樹脂パネルＰ１に固定して一体化して組み付けたものである。樹脂パネルＰ１は、扉Ｄ１の開口Ｋ１に設けられ、その前面側から嵌め込み固定されている。つまり、図示しないが、樹脂パネルＰ１の周縁から裏面側に立設された係止用フックが、開口Ｌ１周縁の扉Ｄ１の裏面に係止する、いわゆるフック取り付けによって嵌め込み固定されている。
【００３０】
図３は、メイン制御基板５０を示す図である。
【００３１】
メイン制御基板５０は、従来のメイン制御基板６０、表示制御基板８１、受信機用表示操作基板８２、主中継器用表示操作基板８３の各基板の機能を集約して１つの基板としたものである。
【００３２】
メイン制御基板５０は、従来の受信機用表示操作部材８２ａと同様の受信機用表示操作部材５１が一方の面（表面）に配置され、従来の主中継器用表示操作部材８３ａと同様の主中継器用表示操作部材５２が他方の面（裏面）に配置され、火災受信機ＲＥ１及び主中継器ＬＭ１用表示操作基板として機能する。さらに、他方の面には、従来のメイン制御基板６０、従来の表示制御基板８１、として機能するための回路部品５３が配置されている。表示操作部材５１、５２は、各種スイッチ、各種表示灯などであり、また、回路部品５３は、マイコン、半導体チップ部品等である。
【００３３】
このように、受信機用表示操作操材５１と主中継器用表示操作部材５２とを、基板５０の両面に分けて実装して、１つの基板として集約している。また、主制御部、表示制御部としての回路部品５３も、１つの基板として集約している。
【００３４】
そして、メイン制御基板５０は、受信機用表示操作部材５１が設けられた一方の面（表面）を扉Ｄ１の開口Ｋ１に対向させて、扉Ｄ１の裏面に配置され、扉Ｄ１を閉じた状態で、開口Ｋ１を介して、受信機用表示操作部材５１が外部から視認及び操作可能となっている。
【００３５】
図４は、主中継器ＬＭ１を示すブロック図である。
【００３６】
主中継器ＬＭ１は、筐体本体Ｍ２と扉Ｄ２とで筐体が構成され、扉Ｄ２は、筐体本体Ｍ２に開閉可能に設けられている。
【００３７】
筐体本体Ｍ２には、電源部２０と、電池３７と、端末伝送基板３３と、電源制御部７０と、ＬＡＮ伝送基板３６とが設けられている。
【００３８】
扉Ｄ２の裏面には、図３のメイン制御基板５０が設けられている。
【００３９】
電源制御部７０は、電源部２０から生成された直流電圧、例えばＤＣ２４Ｖを各部に電源供給する基板である。ＬＡＮ伝送基板３６は、伝送線Ｌ１を介して、ホスト機器（他の主中継器ＬＭ１、火災受信機ＲＥ１）と接続される基板である。端末伝送基板３３は、信号線Ｌ２を介して、端末機器ＳＥと接続される伝送基板である。
【００４０】
そして、メイン制御基板５０は、受信機用表示操作部材５１が設けられた一方の面（表面）を扉Ｄ２に対向させて、扉Ｄ２の裏面に配置され、これにより、従来通りに、扉Ｄ２を開けることで、主中継器用表示操作部材５２が外部から視認及び操作可能となっている。
【００４１】
このようにし、メイン制御基板５０をストックすれば、表示操作基板としての基板を、火災受信機ＲＥ１と主中継器ＬＭ１とで共用できるので、製造コストを低減し、在庫等の管理を容易とすることができる。また、主制御部、表示制御部も共用したので、製造コストの低減、管理の容易化が更に図られる。
【００４２】
なお、メイン制御基板５０には、不揮発性の記憶媒体としてのフラッシュＲＯＭ（不図示）が設けられ、その用途に応じて、火災受信機ＲＥ１又は主中継器ＬＭ１のプログラムをフラッシュＲＯＭに格納することによって、火災受信機ＲＥ１又は主中継器ＬＭ１として機能することができる。なお、火災受信機ＲＥ１、主中継器ＬＭ１のプログラムが格納されているフラッシュＲＯＭ、プログラム選択スイッチが設けられ、この選択スイッチの操作によって、火災受信機ＲＥ１又は主中継器ＬＭ１として選択的に機能するように構成することもできる。
【００４３】
以上のように構成された分散型火災報知システムでは、例えば、主中継器ＬＭ１が端末機器ＳＥの異常情報を信号線Ｌ２を介して受信すると、自己の主中継器用表示操作部材５２の異常代表表示灯（不図示）を点灯し、また、その異常情報を防災情報として伝送線Ｌ１に送出する。そして、火災受信機ＲＥ１はその防災情報を受信すると、自己の受信機用表示操作部材５１の異常代表表示灯（不図示）を点灯させると共に、ＬＣＤ４０上に主中継器ＬＭ１のアドレスと異常内容を表示する。管理人は、火災受信機ＲＥ１の表示内容から、主中継器ＬＭ１の異常内容を確認でき、設置場所まで赴いて、主中継器ＬＭ１の主中継器用表示操作部材５２の異常代表表示灯（不図示）の点灯を確認することで、異常状態の主中継器ＬＭ１を特定でき、修理等を迅速に行うことができる。
【００４４】
上記実施例によれば、表示操作基板を、火災受信機と主中継器とで共用できるので、製造コストを低減し、在庫等の管理を容易とすることができる。また、主制御部、表示制御部も共用したので、製造コストの低減、管理の容易化が更に図られ、基板数の低減によって、盤内が省スペース化され、筐体を小さくすることができ、したがって、製造コストを下げることができる。また、主制御部による表示操作の処理速度が速くなる。
【００４５】
なお、上記実施例において、表示操作基板は、受信機用表示操作部材と主中継器用表示操作部材とを備えるようにしたが、本発明の要旨は、受信機と主中継器の表示用部材又は操作用部材を共用できる基板であればよく、つまり、表示基板としての機能のみであってもよく、また、操作基板としての機能のみであってもよく、さらには、一方の操作部材がない表示操作基板や、一方の表示部材がない表示操作基板であってもよい。
【００４６】
また、上記実施例において、表示操作基板は、一方の面に受信機用表示操作部材を、また、他方の面に主中継器用表示操作部材を配設済みの構成であったが、受信機用表示操作部材、主中継器用表示操作部材が配設されていない状態で、在庫としてストックしておき、用途に応じて、受信機用表示操作部材、または主中継器用表示操作部材を配設するようにしてもよく、つまり、一方の面に受信機用表示操作部材を、また、他方の面に主中継器用表示操作部材を配設可能な構成であればよく、これによっても、表示操作基板を、火災受信機と主中継器とで共用できるので、製造コストを低減し、在庫等の管理を容易とすることができる。
【図面の簡単な説明】
【００４７】
【図１】本発明の実施例１である分散型火災報知システムＦＡ１のシステム構成を示すブロック図である。
【図２】火災受信機ＲＥ１を示すブロック図である。
【図３】メイン制御基板５０を示す図である。
【図４】主中継器ＬＭ１を示すブロック図である。
【図５】従来の火災受信機ＲＥ２を示す図である。
【図６】従来の主中継器ＬＭ２を示す図である。
【符号の説明】
【００４８】
ＲＥ１…火災受信機、ＬＭ１…主中継器、Ｍ１〜Ｍ２…筐体本体、Ｄ１〜Ｄ２…扉、Ｋ１…開口、Ｐ１…樹脂パネル、ＳＰ１…スピーカ、Ｊ１…電話ジャック、Ｌ１…伝送線、Ｌ２…信号線、２０…電源部、３３…端末伝送基板、３６…ＬＡＮ伝送基板、３７…電池、４０…ＬＣＤ、５０…メイン制御基板（表示操作基板）、５１…受信機用表示操作部材、５２…主中継器用表示操作部材、５３…回路部品、６０…従来のメイン制御基板、７０…電源制御部、８１…従来の表示制御基板、８２…従来の受信機用表示操作基板、８２ａ…従来の受信機用表示操作部材、８３…従来の主中継器用表示操作基板、８３ａ…従来の主中継器用表示操作部材。
【図１】
2008226172.tif 000003
【図２】
2008226172.tif 000004
【図３】
2008226172.tif 000005
【図４】
2008226172.tif 000006
【図５】
2008226172.tif 000007
【図６】
2008226172.tif 000008